(57)【要約】【課題】出力信号のＳＮ比を低下させず、消費電力を抑制することができるようにする。【解決手段】光ディスク装置８１において、DVD−R，DVD−RW，DVD＋R_Dual、またはDVD+RW_Dualのいずれかのディスク種類の光ディスク２が装着されると、マイクロコンピュータ１０１は、ディスク種類を判別し、その判別されたディスク種類に応じた電源電圧Vcc１を決定し、電源電圧Vcc１を表す制御信号Ｐvcc１をレギュレータ１０４に供給する。レギュレータ１０４は、電源電圧Vcc１をPD−IC１６に供給する。データの記録時において、光ディスク２の記録面で反射された戻り光が、PD−IC１６のフォトディテクタ４１で受光され、PD−IC１６は、受光量に応じた信号を信号演算回路２１に出力する。本発明は、例えば、光ディスク装置に適用できる。【選択図】図４
2008041176.tif 000002
【特許請求の範囲】
【請求項１】
光ディスクに光を照射するとともに、前記光ディスクに反射して戻ってきた戻り光を受光することにより、データの再生または記録を行う光ディスク装置において、
前記戻り光の受光量に応じた信号を出力する信号出力手段と、
前記光ディスクのディスク種類を判別し、その判別されたディスク種類に応じた電源電圧を決定する電源電圧決定手段と、
決定された前記電源電圧を前記信号出力手段に供給する電源電圧供給手段と
を備える光ディスク装置。
【請求項２】
前記電源電圧決定手段は、判別された前記ディスク種類の、光ディスクに照射する光の最適なパワーと光ディスクの反射率とから、前記電源電圧を決定する
請求項１に記載の光ディスク装置。
【請求項３】
前記光ディスクに照射する光の最適なパワーと前記反射率とを、前記ディスク種類ごとに記憶する記憶手段をさらに備える
請求項２に記載の光ディスク装置。
【請求項４】
前記電源電圧決定手段は、装着された前記光ディスクに対してフォーカスサーチを実行したときのプルイン信号レベルに基づいて、前記光ディスクのディスク種類を判別する
請求項１に記載の光ディスク装置。
【請求項５】
前記電源電圧決定手段は、さらに、前記プルイン信号レベルに基づいて、装着された前記光ディスクの反射率を決定し、決定された前記反射率と、判別された前記ディスク種類の前記光ディスクに照射する光の最適なパワーとから、前記電源電圧を決定する
請求項４に記載の光ディスク装置。
【請求項６】
光ディスクに照射した光が前記光ディスクに反射して戻ってきた戻り光の受光量に応じた信号を出力する信号出力手段と、前記光ディスクのディスク種類を判別し、その判別されたディスク種類に応じた電源電圧を決定する電源電圧決定手段と、決定された前記電源電圧を前記信号出力手段に供給する電源電圧供給手段とを備え、前記光ディスクに光を照射するとともに、前記戻り光を受光することにより、データの再生または記録を行う光ディスク装置の光ディスク制御方法において、
前記光ディスクのディスク種類を判別し、その判別されたディスク種類に応じた前記電源電圧を決定し、
決定された前記電源電圧を前記信号出力手段に供給する
ステップを含む光ディスク制御方法。
【発明の詳細な説明】
【技術分野】
【０００１】
本発明は、光ディスク装置および光ディスク制御方法に関し、特に、出力信号のＳＮ比を低下させず、消費電力を抑制することができるようにする光ディスク装置および光ディスク制御方法に関する。
【背景技術】
【０００２】
CD(Compact Disc)−R（Recordable)やCD−RW（ReWritble）、DVD(Digital Versatile Disc)−R，DVD−RW，DVD＋R、およびDVD+RWなど、複数種類の光ディスクに対してデータの記録または再生が可能な光ディスク装置が知られている。
【０００３】
光ディスクに照射するときの光（レーザ光）のパワーや波長、光の反射率などは、光ディスクの種類によって異なるため、上述の光ディスク装置内の受光素子が、光ディスクに反射されて返ってきた戻り光を受光したときの受光量もディスク種類によって異なる。また、通常は、同一のディスク種類であっても記録と再生で光ディスクに照射するパワーを変えるため、記録と再生でも受光素子における受光量は異なる。
【０００４】
そのため、受光素子の後段に設けられているI−Vアンプでは、どの種類の光ディスクを記録または再生した場合であっても出力電圧が飽和しないように、受光素子が受光する最大受光量に合わせてトランスインピーダンス（帰還抵抗の抵抗値）が設定されている。
【０００５】
しかしながら、逆に言うと、受光素子が最大受光量で受光することは少なく、通常のほとんどは、最大受光量よりも低い受光量で受光すると言える。I−Vアンプが出力する信号に含まれるノイズは受光量の大小にかかわらず一定であると考えられるので、受光量が少なくなるほど、出力信号のSN比（Signal/Noise比）が低下することを意味する。
【０００６】
そこで、従来の光ディスク装置では、トランスインピーダンスを数種類設け、記録と再生、または、ディスク種類に応じてゲインを切替えるようにして、受光量が少ない場合であっても出力信号のSN比を高くするようにしているものもある（例えば、特許文献１参照）。
【０００７】
【特許文献１】特開２０００−２５１３００号公報
【発明の開示】
【発明が解決しようとする課題】
【０００８】
ところで、近年の光ディスク装置では、２層記録の採用や記録速度の高速化などのため、データの記録時に光ディスクに照射する光のパワーを大きくする傾向にある。
【０００９】
光ディスクに照射する光のパワーが大きくなると、それに応じて受光素子での受光量も大きくなるため、I−Vアンプの出力電圧が飽和しないように、ゲインをより低くする必要がある。このゲインの低下に伴い、受光量が少ないディスク種類の光ディスクに対してデータ記録するときの出力信号のSN比は、より一層低下する。
【００１０】
出力信号のSN比を低下させないためには、従来と同様に、ゲインの切替え段数をさらに増やすことが考えられるが、この場合、切替え信号の増加に関わる回路規模の増大、部品の大型化、コストアップなどの問題が生じる。
【００１１】
あるいは、受光量が増大しても出力電圧が飽和しないように、出力電圧が飽和するまでの受光量を引き上げるために、I−Vアンプに供給する電源電圧を高くすることも考えられるが、そのようにすると消費電力が大きくなるという問題がある。
【００１２】
本発明は、このような状況に鑑みてなされたものであり、出力信号のＳＮ比を低下させず、消費電力を抑制することができるようにするものである。
【課題を解決するための手段】
【００１３】
本発明の一側面の光ディスク装置は、光ディスクに光を照射するとともに、前記光ディスクに反射して戻ってきた戻り光を受光することにより、データの再生または記録を行う光ディスク装置において、前記戻り光の受光量に応じた信号を出力する信号出力手段と、前記光ディスクのディスク種類を判別し、その判別されたディスク種類に応じた電源電圧を決定する電源電圧決定手段と、決定された前記電源電圧を前記信号出力手段に供給する電源電圧供給手段とを備える。
【００１４】
前記電源電圧決定手段には、判別された前記ディスク種類の、光ディスクに照射する光の最適なパワーと光ディスクの反射率とから、前記電源電圧を決定させることができる。
【００１５】
前記光ディスクに照射する光の最適なパワーと前記反射率とを、前記ディスク種類ごとに記憶する記憶手段をさらに設けることができる。
【００１６】
前記電源電圧決定手段には、装着された前記光ディスクに対してフォーカスサーチを実行したときのプルイン信号レベルに基づいて、前記光ディスクのディスク種類を判別させることができる。
【００１７】
前記電源電圧決定手段には、さらに、前記プルイン信号レベルに基づいて、装着された前記光ディスクの反射率を決定し、決定された前記反射率と、判別された前記ディスク種類の前記光ディスクに照射する光の最適なパワーとから、前記電源電圧を決定させることができる。
【００１８】
本発明の一側面の光ディスク制御方法は、光ディスクに照射した光が前記光ディスクに反射して戻ってきた戻り光の受光量に応じた信号を出力する信号出力手段と、前記光ディスクのディスク種類を判別し、その判別されたディスク種類に応じた電源電圧を決定する電源電圧決定手段と、決定された前記電源電圧を前記信号出力手段に供給する電源電圧供給手段とを備え、前記光ディスクに光を照射するとともに、前記戻り光を受光することにより、データの再生または記録を行う光ディスク装置の光ディスク制御方法において、前記光ディスクのディスク種類を判別し、その判別されたディスク種類に応じた前記電源電圧を決定し、決定された前記電源電圧を前記信号出力手段に供給するステップを含む。
【００１９】
本発明の一側面においては、光ディスクのディスク種類が判別され、その判別されたディスク種類に応じた電源電圧が決定され、決定された電源電圧が信号出力手段に供給される。
【発明の効果】
【００２０】
本発明の一側面によれば、出力信号のＳＮ比を低下させず、消費電力を抑制することができる。
【発明を実施するための最良の形態】
【００２１】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２２】
本発明の一側面の光ディスク装置は、光ディスクに光を照射するとともに、前記光ディスクに反射して戻ってきた戻り光を受光することにより、データの再生または記録を行う光ディスク装置（例えば、図４の光ディスク装置８１）において、前記戻り光の受光量に応じた信号を出力する信号出力手段（例えば、図４のPD−IC１６）と、前記光ディスクのディスク種類を判別し、その判別されたディスク種類に応じた電源電圧を決定する電源電圧決定手段（例えば、図４のマイクロコンピュータ１０１）と、決定された前記電源電圧を前記信号出力手段に供給する電源電圧供給手段（例えば、図４のレギュレータ１０４）とを備える。
【００２３】
本発明の一側面の光ディスク装置は、前記光ディスクに照射する光の最適なパワーと前記反射率とを、前記ディスク種類ごとに記憶する記憶手段（例えば、図４のROM１０２）をさらに備える。
【００２４】
本発明の一側面の光ディスク制御方法は、光ディスクに照射した光が前記光ディスクに反射して戻ってきた戻り光の受光量に応じた信号を出力する信号出力手段と、前記光ディスクのディスク種類を判別し、その判別されたディスク種類に応じた電源電圧を決定する電源電圧決定手段と、決定された前記電源電圧を前記信号出力手段に供給する電源電圧供給手段とを備え、前記光ディスクに光を照射するとともに、前記戻り光を受光することにより、データの再生または記録を行う光ディスク装置の光ディスク制御方法において、前記光ディスクのディスク種類を判別し（例えば、図８のステップＳ２）、その判別されたディスク種類に応じた前記電源電圧を決定し（例えば、図８のステップＳ５）、決定された前記電源電圧を前記信号出力手段に供給する（例えば、図９のステップＳ２３）ステップを含む。
【００２５】
以下、図を参照して、本発明の実施の形態について説明するが、その前に、従来の光ディスク装置について簡単に説明する。
【００２６】
図１は、従来の光ディスク装置１の構成例を示すブロック図である。
【００２７】
光ディスク装置１は、そこに装着された光ディスク２に対して、データの記録または再生を行う装置である。光ディスク２は、例えば、データの書込みと読み出しの両方が可能なDVD(Digital Versatile Disc)−R（Recordable)，DVD−RW（ReWritble），DVD＋R_Dual（２層記録対応）、およびDVD+RW_Dual（２層記録対応）などや、読み出しのみが可能なDVD−ROM（Read Only Memory）などである。
【００２８】
光ディスク装置１において、レーザダイオード（以下、LDと称する）１１は、LD駆動回路２６の制御に従い、所定の出射パワーで、例えば、６５０ナノメートル（ｎｍ）の波長の光（レーザ光）を出射する。
【００２９】
LD１１から出射された光は、ビームスプリッタ（以下、BSと称する)１２に入射される。BS１２は、２つのプリズム１２ａおよび１２ｂが接合されて構成されている。ＢＳ１２に入射されたLD１１からの光は、プリズム１２ａと１２ｂとの接合面１２ｃで反射されてフロントモニタフォトディテクタ（以下、FPDと称する）１３に入射される光と、接合面１２ｃを透過して対物レンズ１４に入射される光に分割される。
【００３０】
FPD１３は、LD１１が出射する光のパワー（以下、出射パワーと称する）をモニタするために設けられている。FPD１３は、接合面１２ｃで反射されて入射してくる光を受光し、受光量に応じた電気信号（電流値）をＬＤ駆動回路２６に出力する。
【００３１】
対物レンズ１４は、接合面１２ｃを透過して入射されてくる光を集光させ、光ディスク２の記録面に光スポットを形成する。なお、以下において、光ディスク２の記録面に照射されるときの光のパワーを記録パワーと称し、LD１１が出射したときの光のパワーを出射パワーと称する。記録パワーと出射パワーとでは、LD１１から出射された光がBS１２で分割されたり、複数の光学部品を通過するので、記録パワーの方が出射パワーよりも低くなる。
【００３２】
光ディスク２の記録面で反射された光（以下、戻り光と称する）は、再び対物レンズ１４を通過して、BS１２に入射される。BS１２に入射された戻り光は、BS１２の接合面１２ｃで反射される。そして、BS１２の接合面１２ｃで反射された戻り光は、シリンドリカルレンズ１５によって非点収差が与えられ、フォトディテクタ−IC（Integrated Circuit）（以下、PD−ICと称する）１６で収束する。
【００３３】
PD−IC１６は、戻り光を受光するとともに、受光量に応じた電流信号を出力するフォトディテクタ４１と、電流信号を電圧信号に変換して増幅するI−Vアンプ４２（いずれも図２参照）により構成されている。PD−IC１６は、戻り光の受光量に応じた電圧信号を信号演算回路２１に出力する。また、PD−IC１６には、光ディスク２にデータを記録する場合と光ディスク２に記録されているデータを再生する場合とでI−Vアンプ４２のトランスインピーダンスを切替えるための制御信号PSWが供給される。
【００３４】
信号演算回路２１は、PD−IC１６から供給される電気信号から、データの再生または記録用のデータ検出信号（以下、RF信号と称する）、フォーカスエラー信号（以下、FE信号と称する）、およびトラッキングエラー信号（以下、TE信号と称する）を算出し、A/D変換回路２２に供給する。A/D変換回路２２は、信号演算回路２１から供給されるアナログのRF信号、FE信号、およびTE信号を、デジタルの信号に変換し、マイクロコンピュータ２３に供給する。
【００３５】
マイクロコンピュータ２３は、ROM（Read Only Memory）２４に記憶されている制御プログラムに従い、光ディスク装置１の各部を制御する。例えば、マイクロコンピュータ２３は、FE信号およびTE信号に基づいて、図示せぬトラッキングモータおよび３軸アクチュエータの駆動を制御する。
【００３６】
また例えば、マイクロコンピュータ２３は、ユーザの操作に基づいて操作部２７から供給される再生指示信号または記録指示信号などに従い、装着された光ディスク２にデータを記録する場合には光ディスク装置１の動作モードを記録モードに設定したり、装着された光ディスク２に記録されているデータを再生する場合には光ディスク装置１の動作モードを再生モードに設定する。なお、光ディスク装置１の起動直後においては、動作モードは再生モードに設定される。
【００３７】
マイクロコンピュータ２３は、光ディスク装置１が再生モードであるか、または記録モードであるかに応じて異なる制御信号PSWをPD−IC１６に供給する。
【００３８】
また、マイクロコンピュータ２３は、装着された光ディスク２にデータを記録する場合と、光ディスク２に記録されたデータを再生する場合とで、異なる記録パワーPWをLD駆動回路２６に供給する。
【００３９】
ROM２４は、マイクロコンピュータ２３によって読み出される制御プログラムや、光ディスク装置１の制御に必要な固定データを記憶する。また、RAM（Random Access Memory）２５には、光ディスク装置１の制御に一時的に必要となるデータが適宜記憶される。
【００４０】
LD駆動回路２６は、マイクロコンピュータ２３から供給される記録パワーPWに対応する出射パワーを算出し、算出された出射パワーで発光するようにLD１１を制御する。なお、LD１１の制御においては、FPD１３からフィードバックされる電気信号が参照される。
【００４１】
操作部２７は、例えば、データの記録を開始させる記録ボタン、光ディスク２に記録されたデータの再生を開始させる再生ボタン、再生または記録を一時停止させる一時停止ボタンなどの各種のボタンを備え、ユーザによって操作されたボタンに対応する動作指示信号（上述した再生指示信号や記録指示信号など）をマイクロコンピュータ２３に供給する。
【００４２】
図２は、PD−IC１６の詳細な構成例を示している。
【００４３】
PD−IC１６は、上述したように、戻り光の受光量に応じた電流信号を出力するフォトディテクタ４１と、電流信号を電圧信号に変換して増幅するI−Vアンプ４２により構成される。I−Vアンプ４２は、オペアンプ５１、ｒ１およびｒ２の抵抗値をそれぞれ有する帰還抵抗５２および５３、並びにゲインSW（スイッチ）５４により構成される。
【００４４】
光ディスク２の記録面で反射された戻り光は、BS１２およびシリンドリカルレンズ１５（図１）を介してフォトディテクタ４１に入射される。フォトディテクタ４１の出力は、オペアンプ５１の−入力端子（反転端子）と接続されており、フォトディテクタ４１は、戻り光の受光量に応じた電流信号をオペアンプ５１の−入力端子に供給する。
【００４５】
オペアンプ５１の−入力端子には、フォトディテクタ４１からの電流信号が入力され、オペアンプ５１の＋入力端子（非反転端子）には、基準バイアス電圧Vｃが加えられる。オペアンプ５１は、−入力端子に入力される電流信号に対応する電圧Vo（の電圧信号）を信号演算回路２１に出力する。
【００４６】
なお、オペアンプ５１には、PD−IC１６に供給されているのと同一の固定の電源電圧Vccが供給されている。以下において、PD−IC１６に供給される電源電圧をPDIC電源電圧と称する。
【００４７】
オペアンプ５１の−入力端子は、帰還抵抗５２および５３の一端とも接続されており、帰還抵抗５２および５３の他端は、オペアンプ５１の出力端子と接続されている。なお、帰還抵抗５３の、オペアンプ５１の−入力端子と接続されている一端とは異なる他端と、オペアンプ５１の出力端子との間には、ゲインスイッチ５４が接続されており、ゲインスイッチ５４がマイクロコンピュータ２３（図１）からの制御信号PSWに応じてオンしている場合には、並列接続された帰還抵抗５２と５３が、オペアンプ５１の−入力端子と出力端子の間に接続される。一方、ゲインスイッチ５４がマイクロコンピュータ２３からの制御信号PSWに応じてオフしている場合には、オペアンプ５１の−入力端子と出力端子は、帰還抵抗５２だけを介して接続される。
【００４８】
マイクロコンピュータ２３は、光ディスク２に記録されているデータを再生する場合、ゲインスイッチ５４をオフさせる制御信号PSWをPD−IC１６のI−Vアンプ４２に供給する。ゲインスイッチ５４がオフされた場合、オペアンプ５１の−入力端子と出力端子との間には、帰還抵抗５２のみが介在し、光ディスク装置８１は高ゲインモードとなる。
【００４９】
一方、光ディスク２にデータを記録する場合、マイクロコンピュータ２３は、ゲインスイッチ５４をオンさせる制御信号PSWをPD−IC１６のI−Vアンプ４２に供給する。ゲインスイッチ５４がオンされた場合、オペアンプ５１の−入力端子と出力端子との間には、並列接続された帰還抵抗５２および５３が介在し、光ディスク装置８１は低ゲインモードとなる。
【００５０】
即ち、マイクロコンピュータ２３は、ゲインスイッチ５４をオンまたはオフさせて、トランスインピーダンスを切り替えることにより、I−Vアンプ４２を、高ゲインモードか、または、低ゲインモードのいずれかに切り替える。
【００５１】
図３は、高ゲインモードおよび低ゲインモードにおけるI−Vアンプ４２の出力電圧Voを示す図である。
【００５２】
図３において、横軸は、フォトディテクタ４１からの出力Pin［ワット（Ｗ）］を表し、縦軸は、I−Vアンプ４２の出力電圧Vo［ボルト（Ｖ）］を表す。
【００５３】
実線で示される直線ｆLOWは、低ゲインモードにおける、フォトディテクタ４１からの出力Pinと、I−Vアンプ４２の出力電圧Voとの関係を表し、実線で示される直線ｆHIGHは、高ゲインモードにおける、フォトディテクタ４１からの出力Pinと、I−Vアンプ４２の出力電圧Voとの関係を表す。
【００５４】
フォトディテクタ４１が最大の受光量を受光したときのフォトディテクタ４１からの出力Pmaxにおいて、I−Vアンプ４２の出力電圧Voが最大値Vomaxとなるように、低ゲインモードが設定されている。
【００５５】
図３において、出力電圧Voの最大値Vomaxと基準バイアス電圧Vcの差（VDR=Vomax−Vc）が、I−Vアンプ４２の出力電圧Voのダイナミックレンジ（出力ダイナミックレンジ）VDRとなる。
【００５６】
低ゲインモードでは、受光量が少ないときI−Vアンプ４２の出力電圧Voが小さくなるので、フォトディテクタ４１からの出力Pinが小さい場合であっても出力電圧Voが大きくなるように、高ゲインモードが設定されている。
【００５７】
なお、PDIC電源電圧Vccと出力電圧Voの最大値Vomaxとの電位差Vβは、PD−IC１６の回路で決定される固定の値である。
【００５８】
さて、図１の光ディスク装置１に対して、２層記録の採用や記録速度の高速化などのために、データの記録時に、より大きな記録パワーが必要となった場合、単純にLD１１の出射パワーをより大きくすると、フォトディテクタ４１の受光量も大きくなるので、フォトディテクタ４１からの出力がPmaxを超えるときが生じる。出力Pmax以上では、I−Vアンプ４２の出力電圧Voが飽和してしまうため、受光量に応じた正確な信号を出力することができなくなる。
【００５９】
出力電圧Voの飽和を回避する対策として、例えば、帰還抵抗５３の抵抗値ｒ２を変更して、図３において１点鎖線で示されるように、低ゲインモードのときの直線ｆLOWの傾斜を小さくすることが考えられる。
【００６０】
しかしながら、直線ｆLOWの傾斜を小さくすると、確率的には発生することが少ない、最大の受光量でフォトディテクタ４１が受光したときのために、出力信号のSN比を全体的に低下させることになる。
【００６１】
あるいは、その他の対策として、例えば、もう１つの帰還抵抗を帰還抵抗５２および５３と並列に新たに接続させ、図３において１点鎖線で示されるような第２の低ゲインモードを設けることが考えられる。
【００６２】
しかしながら、モードを追加するとなると、追加モードに対応する帰還抵抗の回路と、その回路を制御する制御回路が追加されることになり、回路規模の増大、部品の大型化などの問題が生じる。
【００６３】
さらに、その他の対策として、PDIC電源電圧Vccを高くすることも考えられる。なぜなら、PDIC電源電圧Vccを高くすると、PDIC電源電圧Vccと出力電圧Voの最大値Vomaxとの電位差Vβが一定であるので、最大値Vomaxが引き上げられることになり、出力信号のSN比を低下させずに、I−Vアンプ４２の出力電圧Voの飽和を防止することができるからである。しかしながら、PDIC電源電圧Vccを高くすると、消費電力が増大するという問題が生じる。
【００６４】
従って、図１の光ディスク装置１において、データの記録時に、より大きな記録パワーが必要となった場合、出力信号のSN比を低下させず、かつ、I−Vアンプ４２の出力電圧Voの飽和を防止して、受光量に応じた正確な信号を出力するためには、記録パワーの増大に対応させてPDIC電源電圧Vccを引き上げることになり、消費電力が増大する。
【００６５】
そこで、図４は、データの記録時に、より大きな記録パワーが必要となった場合でも、出力信号のSN比を低下させずに、I−Vアンプ４２の出力電圧Voの飽和を防止し、かつ、消費電力を抑制するようにした光ディスク装置８１を示している。
【００６６】
即ち、図４は、本発明を適用した光ディスク装置の一実施の形態の構成例を示している。
【００６７】
なお、図４の光ディスク装置８１において、図１と対応する部分については同一の符号を付してあり、その説明は適宜省略する。
【００６８】
また、データの再生時においては、光ディスク装置８１は、光ディスク装置１と同様の動作を行うので、本実施の形態では、光ディスク装置８１が、光ディスク２に対してデータを記録する場合についてのみ説明する。
【００６９】
光ディスク装置８１は、マイクロコンピュータ２３、ROM２４、およびRAM２５に代えてマイクロコンピュータ１０１、ROM１０２、およびRAM１０３を有し、レギュレータ１０４をさらに有する点において、光ディスク装置１と相違する。
【００７０】
マイクロコンピュータ１０１、ROM１０２、およびRAM１０３それぞれは、ハードウエア構成としては、図１のマイクロコンピュータ２３、ROM２４、およびRAM２５と同様であるが、ROM１０２に記憶されている制御プログラムによってマイクロコンピュータ１０１が行う処理と、ROM１０２およびRAM１０３に記憶されるデータが、マイクロコンピュータ２３、ROM２４、およびRAM２５とは一部異なる。
【００７１】
マイクロコンピュータ１０１は、マイクロコンピュータ２３と同様に、操作部２７から供給される再生指示信号または記録指示信号などに従い、光ディスク装置８１の動作モードを、記録モードまたは再生モードに設定する。
【００７２】
また、マイクロコンピュータ１０１は、光ディスク２が光ディスク装置８１に装着されると、その装着された光ディスク２のディスク種類を判別する。例えば、マイクロコンピュータ１０１は、フォーカスサーチを行ったときの、複数分割されているフォトディテクタ４１の受光面それぞれの電気信号の総和のピークレベル（いわゆるプルイン信号レベル）に基づいて、ディスク種類を判別する。
【００７３】
そして、マイクロコンピュータ１０１は、ディスク種類の判別結果に基づいて、装着された光ディスク２の反射率Ref１と、光ディスク２にデータを記録する場合にLD駆動回路２６に供給する記録パワーPW１を決定する。具体的には、マイクロコンピュータ１０１は、ROM１０２に記憶されている反射率テーブルと記録パワーテーブルから、判別されたディスク種類の反射率と記録パワーを取得することにより、反射率Ref１と記録パワーPW１を決定する。
【００７４】
マイクロコンピュータ１０１は、光ディスク２の反射率Ref１と記録パワーPW１に基づいて、装着された光ディスク２に対してデータの記録を行ったときPD−IC１６から出力される出力電圧Voを予測する。さらに、マイクロコンピュータ１０１は、この予測された出力電圧（以下、予測出力電圧Vo’と称する）に、予測値からの変動幅を考慮した所定のマージン（電位差）Vαを加えた予測最大出力電圧Vomax’を算出する。また、マイクロコンピュータ１０１は、予測最大出力電圧Vomax’が得られると、PD−IC１６の回路に固定の電位差Vβを加算することにより、装着された光ディスク２にデータを記録するときPD−IC１６に供給するPDIC電源電圧Vcc１を決定する。
【００７５】
マイクロコンピュータ１０１は、以上のようにして決定した記録パワーPW１とPDIC電源電圧Vcc１をRAM１０３に供給し、記憶させる。
【００７６】
ユーザによって操作部２７の記録ボタンが押下され、操作部２７からマイクロコンピュータ１０１に記録指示信号が供給されると、マイクロコンピュータ１０１は、ゲインスイッチ５４をオンさせる制御信号PSWをPD−IC１６のI−Vアンプ４２（図７参照）に供給するとともに、RAM１０３に記憶されているPDIC電源電圧Vcc１を表す制御信号Ｐvcc１を、レギュレータ１０４に供給する。また、マイクロコンピュータ１０１は、RAM１０３に記憶されている記録パワーPW１をLD駆動回路２６に供給する。
【００７７】
ROM１０２は、上述した反射率テーブルと記録パワーテーブルを記憶する。即ち、ROM１０２は、光ディスク２のディスク種類ごとの、光ディスク２の反射率と最適な記録パワーを記憶する。RAM１０３は、いま装着されている光ディスク２に対して決定された、記録パワーPW１とPDIC電源電圧Vcc１を一時記憶する。
【００７８】
レギュレータ１０４は、安定化電源回路であり、マイクロコンピュータ１０１から供給された制御信号Ｐvcc１に対応するPDIC電源電圧Vcc１を、PD−IC１６に供給する。なお、マイクロコンピュータ１０１からレギュレータ１０４に供給される制御信号Ｐvcc１は、デジタル信号またはアナログ信号のどちらで供給しても良く、アナログ信号として供給する場合には、D/A変換回路がマイクロコンピュータ１０１とレギュレータ１０４との間に適宜設けられる。また、レギュレータ１０４の代わりにDC−DCコンバータを採用してもよい。
【００７９】
図５は、ROM１０２に記憶されている反射率テーブルの例を示し、図６は、ROM１０２に記憶されている記録パワーテーブルの例を示している。
【００８０】
反射率テーブルでは、図５に示されるように、DVD−R，DVD−RW，DVD＋R_Dual、およびDVD+RW_Dualの各ディスク種類と、そのディスク種類の光ディスク２の反射率Refr，Refrw，Refrd、およびRefwdとが対応付けられて記憶されている。
【００８１】
また、記録パワーテーブルでは、図６に示されるように、DVD−R，DVD−RW，DVD＋R_Dual、およびDVD+RW_Dualの各ディスク種類と、そのディスク種類に最適な記録パワーPWr，PWrw，PWrd、およびPWwdとが対応付けられて記憶されている。
【００８２】
マイクロコンピュータ１０１は、装着された光ディスク２のディスク種類の判別結果に応じて、反射テーブルの反射率Refr，Refrw，Refrd、またはRefwdのいずれかを反射率Ref１として取得するとともに、記録パワーテーブルの記録パワーPWr，PWrw，PWrd、またはPWwdのいずれかを記録パワーPW１として取得する。
【００８３】
図７は、PD−IC１６の詳細な構成例を示している。
【００８４】
光ディスク装置８１のPD−IC１６は、光ディスク装置１における場合と同様に、戻り光の受光量に応じた電流信号を出力するフォトディテクタ４１と、電流信号を電圧信号に変換して増幅するI−Vアンプ４２により構成される。
【００８５】
しかしながら、光ディスク装置１においては、DVD−R，DVD−RW，DVD＋R_Dual、またはDVD+RW_Dualのどのディスク種類においても同一の（固定の）PDIC電源電圧Vccがオペアンプ５１に供給されていたが、光ディスク装置８１では、図７に示されるように、判別されたディスク種類に応じて決定されたPDIC電源電圧Vcc１がオペアンプ５１に供給される。即ち、光ディスク装置８１では、オペアンプ５１に供給されるPDIC電源電圧Vcc１は、ディスク種類に応じて可変する。
【００８６】
次に、図８のフローチャートを参照して、光ディスク装置８１の起動処理について説明する。この処理は、例えば、光ディスク装置８１の電源投入後、光ディスク装置８１に光ディスク２が装着されたとき開始される。
【００８７】
初めに、ステップＳ１において、マイクロコンピュータ１０１は、光ディスク装置８１の動作モードを再生モードに設定するとともに、ゲインSW５４をオフさせる制御信号PSWをPD−IC１６のI−Vアンプ４２に供給する。
【００８８】
ステップＳ２において、マイクロコンピュータ１０１は、装着された光ディスク２のディスク種類を判別する。具体的には、マイクロコンピュータ１０１は、フォーカスサーチを行ったときのプルイン信号レベルに基づいて、ディスク種類を判別する。なお、このとき、LD１１は、データ再生時の出射パワーで光を出射している。
【００８９】
ステップＳ３において、マイクロコンピュータ１０１は、ディスク種類の判別結果に基づいて、装着された光ディスク２の反射率Ref１を決定する。具体的には、マイクロコンピュータ１０１は、ROM１０２に記憶されている反射率テーブル（図５）から、判別されたディスク種類に対応する光ディスク２の反射率Refr，Refrw，Refrd、またはRefwdを取得することにより、光ディスク２の反射率Ref１を決定する。
【００９０】
ステップＳ４において、マイクロコンピュータ１０１は、ディスク種類の判別結果に基づいて、データ記録時の記録パワーPW１を決定する。具体的には、マイクロコンピュータ１０１は、ROM１０２に記憶されている記録パワーテーブル（図６）から、判別されたディスク種類に対応する記録パワーPWr，PWrw，PWrd、またはPWwdを取得することにより、データ記録時の記録パワーPW１を決定する。ここで決定された記録パワーPW１は、RAM１０３に供給され、記憶される。
【００９１】
ステップＳ５において、マイクロコンピュータ１０１は、光ディスク２の反射率Ref１と記録パワーPW１に基づいて、PDIC電源電圧Vcc１を決定する。
【００９２】
具体的には、マイクロコンピュータ１０１は、最初に、PD−IC１６からの出力電圧Voを予測した予測出力電圧Vo’を、反射率Ref１と記録パワーPW１との積によって求める。次に、I−Vアンプ４２からの出力電圧Voに多少の変動があっても飽和しないように、マイクロコンピュータ１０１は、予測出力電圧Vo’に所定のマージンVαを加えた予測最大出力電圧Vomax’を算出する。さらに、マイクロコンピュータ１０１は、予測最大出力電圧Vomax’に対して、PD−IC１６の回路に固定の電位差Vβを加算することにより、PDIC電源電圧Vcc１を決定する。
【００９３】
ステップＳ６において、マイクロコンピュータ１０１は、決定されたPDIC電源電圧Vcc１をRAM１０３に供給し、記憶させて、処理を終了する。
【００９４】
次に、図９のフローチャートを参照して、ユーザによって光ディスク２に対するデータの記録が指示された場合に開始される、光ディスク装置８１の記録処理について説明する。
【００９５】
初めに、ステップＳ２１において、マイクロコンピュータ１０１は、光ディスク装置８１の動作モードを記録モードに設定するとともに、ゲインSW５４をオンさせる制御信号ＰSWをPD−IC１６のI−Vアンプ４２に供給する。
【００９６】
ステップＳ２２において、マイクロコンピュータ１０１は、RAM１０３に記憶されているPDIC電源電圧Vcc１を読み出し、PDIC電源電圧Vcc１を表す制御信号Ｐvcc１をレギュレータ１０４に供給する。
【００９７】
ステップＳ２３において、レギュレータ１０４は、マイクロコンピュータ１０１から供給された制御信号Ｐvcc１に対応するPDIC電源電圧Vcc１を、PD−IC１６に供給する。
【００９８】
ステップＳ２４において、マイクロコンピュータ１０１は、RAM１０３に記憶されている記録パワーPW１を読み出し、LD駆動回路２６に供給する。
【００９９】
ステップＳ２５において、マイクロコンピュータ１０１は、記録動作を開始させる。即ち、マイクロコンピュータ１０１は、LD駆動回路２６、図示せぬスピンドルモータおよび３軸アクチュエータなどの駆動を開始させる。これにより、図示せぬデータ入力部から入力された記録データに対応して、記録パワーPW１の光が、光ディスク２の記録面に照射されるとともに、光ディスク２の記録面で反射された戻り光が、PD−IC１６のフォトディテクタ４１で受光される。
【０１００】
ステップＳ２６において、マイクロコンピュータ１０１は、記録データの入力が終了したかを判定する。ステップＳ２６で、記録データの入力がまだ終了していないと判定された場合、即ち、図示せぬデータ入力部から記録データがまだ入力されている場合、マイクロコンピュータ１０１は、記録データに対応する記録動作を継続する。
【０１０１】
一方、ステップＳ２６で、記録データの入力が終了したと判定された場合、ステップＳ２７において、マイクロコンピュータ１０１は、記録動作を終了させるとともに、動作モードを再生モードに設定し、処理を終了する。
【０１０２】
以上のように、光ディスク装置８１では、ディスク種類の判別結果に基づいて、光ディスク２の反射率Ref１と記録パワーPW１を決定し、その決定された反射率Ref１と記録パワーPW１から、さらにPDIC電源電圧Vcc１を決定するので、光ディスク２のディスク種類ごとにPD−IC１６に供給されるPDIC電源電圧は変化する。
【０１０３】
図１０を参照して、光ディスク装置１と比較した光ディスク装置８１の効果について説明する。
【０１０４】
図１０Ａは、図３に示したのと同一の、光ディスク装置１のI−Vアンプ４２の出力電圧Voを示す図である。一方、図１０Ｂは、光ディスク装置８１のI−Vアンプ４２の出力電圧Vo’を示す図である。
【０１０５】
図２と図７を参照して説明したように、光ディスク装置１と光ディスク装置８１とでは、同一のPD−IC１６を構成として採用しているので、図１０Ａに示される直線ｆHIGHと直線ｆLOWの傾きと、図１０Ｂに示される直線ｆHIGHと直線ｆLOWの傾きは同じである。
【０１０６】
しかしながら、光ディスク装置１では、どのディスク種類の光ディスク２に対してデータを記録する場合であっても、オペアンプ５１に供給される電源電圧は、図１０Ａに示されるように、常に一定のVccである。
【０１０７】
これに対して、光ディスク装置８１では、データを光ディスク２に記録するときオペアンプ５１に供給される電源電圧は、ディスク種類に応じて変動する。
【０１０８】
例えば、光ディスク装置８１の起動処理において、フォーカスサーチを行ったときのプルイン信号レベルに基づいてディスク種類が判別され、その判別されたディスク種類に対して、例えば、図１０Ａに示されるように、出力電圧Voの最大値Vomaxと基準バイアス電圧Ｖｃとの中間の値である予測出力電圧Vo’が求められたとする。
【０１０９】
この場合、マイクロコンピュータ１０１は、図１０Ｂに示されるように、予測出力電圧Vo’に所定のマージンVαを加えた予測最大出力電圧Vomax’を算出し、さらに、PD−IC１６の回路に固定の電位差Vβを予測最大出力電圧Vomax’に加算することにより、いわば逆算的にPDIC電源電圧Vcc１を決定する。
【０１１０】
従って、予測出力電圧Vo’が図１０Ａにおける最大出力電圧VomaxからマージンVαを引いた差以上である（Vo’＞Vomax−Vα）場合を除いて、PD−IC１６（のオペアンプ５１）に供給されるPDIC電源電圧Vcc１は、光ディスク装置１におけるPDIC電源電圧Vccより低くなる。
【０１１１】
また、フォトディテクタ４１が最大の受光量を受光したとき、即ち、フォトディテクタ４１からの出力がPmaxであるときには、予測最大出力電圧Vomax’も最大値Vomaxとなるように引き上げられるので、光ディスク装置８１でI−Vアンプ４２の出力電圧Voが飽和することはない。また、図１０Ａに示される直線ｆHIGHと直線ｆLOWの傾きと、図１０Ｂに示される直線ｆHIGHと直線ｆLOWの傾きは同じであるので、光ディスク装置１と比較して出力信号のSN比も低下しない。
【０１１２】
即ち、光ディスク装置８１は、出力信号のSN比を低下させずに、I−Vアンプ４２の出力電圧Voの飽和を防止し、かつ、消費電力を抑制することができる。
【０１１３】
なお、光ディスク装置のなかには、データを光ディスクに記録する場合に間欠記録動作を行うものがある。間欠記録動作とは、例えば映像または音声データなどの、記録する元のデータ（オリジナルデータ）を圧縮してから記録する場合に行われる記録動作であって、光ディスクに記録される記録データは、オリジナルデータの数分の１程度の圧縮率で圧縮されたデータとなるため、バッファに溜まった記録データ（圧縮データ）を記録した後、次の記録データがバッファに用意されるまでに若干の空き時間が生じるので、記録動作が間欠的に行われることを意味する。例えば、ミニディスクの光ディスク装置において、このような間欠記録動作が行われている。
【０１１４】
一般的な光ディスク装置では、間欠記録動作中の空き時間は、記録動作を停止させるだけでなく、消費電力を考慮して不必要な回路の電源を落としてしまうため、記録動作の再開時には再生モードから再び開始することになり、間欠記録動作中は、再生モードおよび記録モードが極めて短い時間で繰り返される。
【０１１５】
これに対して、光ディスク装置８１が間欠記録動作を行う場合には、マイクロコンピュータ１０１は、間欠記録動作の空き時間になっても再生モードのPDIC電源電圧には戻さず、常に記録モード時のPDIC電源電圧Vcc１がPD−IC１６に供給されるようにする。光ディスク装置８１は、図１０を参照して説明したように、従来の光ディスク装置１よりも消費電力を抑制することができるので、極めて短い短時間だけ再生モードに戻すことによる消費電力効果よりも、むしろ、再生モードおよび記録モードを繰り返すことでPDIC電源電圧が不安定になる影響の方が大きいと考えられるからである。
【０１１６】
一方、同じ記録モードと再生モードが繰り返される場合であっても、１回あたりの再生モードまたは記録モードの時間が長くなる場合には、図９を参照して説明したように、光ディスク装置８１においてもPDIC電源電圧は切替えられる。例えば、記録スチル時などのように、光ディスク装置８１が再生モードで長い時間記録動作待機している状態で、操作部２７の記録ボタンがユーザによって操作された場合、マイクロコンピュータ１０１は、操作部２７からの記録指示信号を受けてバッファへの記録データの格納を開始すると同時に、PDIC電源電圧を記録モード時のPDIC電源電圧Vcc１に変更するが、バッファに記録データが蓄積される迄の時間は十分長いので、記録動作開始迄にPDIC電源電圧Vcc1は安定する。従って、PDIC電源電圧の切替えは問題なく行うことができる。再生モードと記録モードの切替えについては、予め決められた動作条件に従ってマイクロコンピュータ１０１が判断する。
【０１１７】
次に、光ディスク装置８１のその他の実施の形態について説明する。
【０１１８】
上述した例では、ROM１０２に記憶されている反射率テーブルと記録パワーテーブルから得られる光ディスク２の反射率Ref１と記録パワーPW１に基づいて、PDIC電源電圧Vcc１を決定するようにしたが、図１１Ａまたは図１１Ｂに示す電源電圧テーブルをROM１０２に記憶させるようにして、ディスク種類の判別結果に対して、即座にPDIC電源電圧Vcc１を求めるようにすることもできる。
【０１１９】
図１１Ａに示す電源電圧テーブルは、各ディスク種類に対してステップＳ５の処理において実行される演算を予め行って、ディスク種類とPDIC電源電圧Vcc１とを１対１に対応付けたものである。
【０１２０】
図１１Ａに示す電源電圧テーブルを参照することにより、ディスク種類がDVD−Rである場合には電源電圧VrがPDIC電源電圧Vcc１とされ、ディスク種類がDVD−RWである場合には電源電圧VrwがPDIC電源電圧Vcc１とされる。同様に、ディスク種類がDVD＋R_Dualである場合には電源電圧VrdがPDIC電源電圧Vcc１とされ、ディスク種類がDVD＋RW_Dualである場合には電源電圧VwdがPDIC電源電圧Vcc１とされる。従って、ディスク種類の判別結果に対して、即座にPDIC電源電圧Vcc１を決定することができる。
【０１２１】
また、例えば、製造メーカが異なると、同じディスク種類でも光ディスク２に最適な記録パワーが異なることがある。この場合、図１１Ｂに示すように、DVD−R，DVD−RW，DVD＋R_Dual、およびDVD+RW_Dualの各ディスク種類に対して、製造メーカに対応させた複数種類（図１１BではN種類）の記録パワーP１乃至PNを用意した電源電圧テーブルをROM１０２に記憶させ、ディスク種類と記録パワーP１乃至PNとの組み合わせによって、PDIC電源電圧Vcc１を即座に決定することもできる。ここで、光ディスク２の製造メーカについての情報は、例えば、光ディスク２のディスク固有情報から読み取って判別する。
【０１２２】
ところで、光ディスク装置８１には、相変化記録方式でデータを光ディスク２に記録する場合など、光ディスク２にデータを記録するときの最適な記録パワーを探索する最適記録パワー探索動作を行うものがある。
【０１２３】
図１２は、光ディスク装置８１が最適記録パワー探索動作を行う場合の起動処理のフローチャートを示している。
【０１２４】
ステップＳ４１乃至Ｓ４４の処理は、図８のステップＳ１乃至Ｓ４の処理と、それぞれ同様であるので、その説明は省略する。
【０１２５】
最適記録パワー探索動作では、記録パワーを所定範囲εだけ変化させて、その中から最適な記録パワーを探索するが、光ディスク装置８１は、この振り幅εを予めＲＯＭ１０２に記憶している。
【０１２６】
そして、ステップＳ４５において、マイクロコンピュータ１０１は、ステップＳ４４で決定した記録パワーPW１を中心とする振り幅εの範囲を最適な記録パワーの探索範囲とするため、最適記録パワー探索動作における探索範囲の上限値となる記録パワーPW２を算出する。具体的には、ステップＳ４４で決定された記録パワーPW１とε／２の和が記録パワーPW２とされる（PW２＝PW１＋ε／２）。
【０１２７】
ステップＳ４６において、マイクロコンピュータ１０１は、光ディスク２の反射率Ref１と記録パワーPW２に基づいて、PDIC電源電圧Vcc２を決定する。反射率Ref１と記録パワーPW２からPDIC電源電圧Vcc２を決定する決定方法は、上述したステップＳ５における場合と同様である。
【０１２８】
ステップＳ４７において、マイクロコンピュータ１０１は、決定されたPDIC電源電圧Vcc２を表す制御信号Ｐvcc２をレギュレータ１０４に供給する。
【０１２９】
ステップＳ４８において、マイクロコンピュータ１０１は、最適記録パワー探索動作を開始して、最適記録パワーPWoptを決定する。
【０１３０】
ステップＳ４９において、マイクロコンピュータ１０１は、光ディスク２の反射率Ref１と記録パワーPWoptに基づいて、光ディスク２にデータを記録するときのPDIC電源電圧Vcc２’を決定する。
【０１３１】
ステップＳ５０において、マイクロコンピュータ１０１は、決定されたPDIC電源電圧Vcc２’をRAM１０３に供給し、記憶させて、処理を終了する。
【０１３２】
相変化記録方式でデータを光ディスク２に記録する記録処理では、以上のようにして決定されたPDIC電源電圧Vcc２’がレギュレータ１０４からPD−IC１６に供給され、記録動作が開始される。
【０１３３】
なお、図８および図１２の起動処理では、ディスク種類と反射率とが１対１に対応付けられた反射率テーブル（図５）に基づいて、装着された光ディスク２の反射率Ref１を決定するようにしたが、反射率テーブルを用いずに、ディスク種類を判別するときのプルイン信号レベルから、光ディスク２の反射率Ref１を推定してもよい。この場合、光ディスク２に固有の反射率のばらつきを考慮したPDIC電源電圧Vcc１（またはVcc２’）を決定することができるので、装着された光ディスク２に対してより最適なPDIC電源電圧Vcc１（またはVcc２’）を決定することができる。
【０１３４】
また、上述した例では、光ディスク２にデータを記録するときのみ、PD−IC１６に供給するPDIC電源電圧Vcc１を可変するようにしたが、光ディスク２の再生時においても同様に、PD−IC１６に供給するPDIC電源電圧Vcc１を可変させるようにすることも可能である。データの記録時に対して複数のゲインモードがある場合でも対応可能である。
【０１３５】
さらに、上述した例では、フォーカスサーチのプルイン信号レベルによってディスク種類を判別するようにしたが、その他、光ディスク２に記録されたディスク固有情報を読み出してディスク種類を判別したり、光ディスク２がカートリッジなどに収納されている場合には、そのカートリッジに形成されているディスク判別穴などを用いてディスク種類を判別してもよい。
【０１３６】
本発明は、１ビーム光学系および３ビーム光学系のいずれの光学系を有する光ディスク装置にも採用することが可能であり、また、DVDとCDなど波長の異なる複数のレーザ光を受光するPD−ICを備える光ディスク装置にも採用することが可能である。
【０１３７】
なお、本明細書において、フローチャートに記述されたステップは、記載された順序に沿って時系列的に行われる処理はもちろん、必ずしも時系列的に処理されなくとも、並列的あるいは個別に実行される処理をも含むものである。
【０１３８】
また、本発明の実施の形態は、上述した実施の形態に限定されるものではなく、本発明の要旨を逸脱しない範囲において種々の変更が可能である。
【図面の簡単な説明】
【０１３９】
【図１】従来の光ディスク装置の構成例を示すブロック図である。
【図２】図１のPD−ICの詳細な構成例を示す図である。
【図３】図１のPD−ICの出力電圧Voについて説明する図である。
【図４】本発明を適用した光ディスク装置の一実施の形態の構成例を示す図である。
【図５】ROMに記憶されている反射率テーブルの例を示す図である。
【図６】ROMに記憶されている記録パワーテーブルの例を示す図である。
【図７】図４のPD−ICの詳細な構成例を示す図である。
【図８】図４の光ディスク装置の起動処理について説明するフローチャートである。
【図９】図４の光ディスク装置の記録処理について説明するフローチャートである。
【図１０】図４の光ディスク装置の効果を説明する図である。
【図１１】電源電圧テーブルの例を示す図である。
【図１２】図４の光ディスク装置のその他の起動処理のフローチャートである。
【符号の説明】
【０１４０】
１６  PD−IC，  ８１  光ディスク装置，  １０１  マイクロコンピュータ，  １０２  ROM，  １０４  レギュレータ
【図１】
2008041176.tif 000003
【図２】
2008041176.tif 000004
【図３】
2008041176.tif 000005
【図４】
2008041176.tif 000006
【図５】
2008041176.tif 000007
【図６】
2008041176.tif 000008
【図７】
2008041176.tif 000009
【図８】
2008041176.tif 000010
【図９】
2008041176.tif 000011
【図１０】
2008041176.tif 000012
【図１１】
2008041176.tif 000013
【図１２】
2008041176.tif 000014